(57)【特許請求の範囲】
【請求項１】
上部と下部とこれら上部及び下部を連結する連結部とを一体に結合して成る樹脂製の鍵ベース体と、前記鍵ベース体の前記上部と前記下部との間に設けられた中間部材とから構成される鍵構造体であって、
前記中間部材は、その上端部が前記鍵ベース体の前記上部に接すると共に、その下端部が前記鍵ベース体の前記下部近傍まで延設され、且つ前記鍵ベース体と同等以上の剛性を有する前記鍵ベース体とは異なる別材で構成されたことを特徴とする鍵構造体。
【請求項２】
上部と下部と前記上部に連結された連結部とから成る樹脂製の鍵ベース体と、前記鍵ベース体の前記上部と前記下部との間の演奏時に外観となって視認される部分に設けられた中間部材とから構成される鍵構造体であって、
前記中間部材は、その上端部が前記鍵ベース体の前記上部に接すると共に、その下端部が前記鍵ベース体の前記下部近傍まで延設され、且つ木質系材にて構成されたことを特徴とする鍵構造体。
【請求項３】
白鍵用として構成され、前記中間部材は、側面のうち黒鍵が隣接しない部分においてのみ設けられたことを特徴とする請求項２記載の鍵構造体。
【発明の詳細な説明】
【０００１】
【発明の属する技術の分野】
本発明は、鍵盤装置の鍵に適用される鍵構造体に関する。
【０００２】
【従来の技術】
従来、鍵盤装置の鍵に適用される鍵構造体としては、樹脂で一体に形成したものや、木を母材として押鍵面である表面（上面）に樹脂等を貼着したものが一般に知られている。
【０００３】
【発明が解決しようとする課題】
しかしながら、上記樹脂で一体に形成した鍵構造体は、鍵スイッチ用駆動部等の突起部の根本部におけるいわゆる「ひけ」の発生を防止する等の観点から、多くの場合、断面コ字状等のように中空部を設けて形成される。そのため、剛性が低くなり、変形が発生しやすくなるという問題があった。
【０００４】
また、上記木の母材表面に樹脂等を貼着した鍵構造体は、母材が木材であるので、質感が高いものの、樹脂に比べれば加工が容易でなく、均質な鍵構造体を安価に製造することは困難である。
【０００５】
本発明は上記従来技術の問題を解決するためになされたものであり、その第１の目的は、剛性を高くして鍵の変形を抑制することができる鍵構造体を提供することにある。
【０００６】
また、本発明の第２の目的は、低コストで鍵に木質感を付与することができる鍵構造体を提供することにある。
【０００７】
【課題を解決するための手段】
上記第１の目的を達成するために本発明の請求項１の鍵構造体は、上部と下部とこれら上部及び下部を連結する連結部とを一体に結合して成る樹脂製の鍵ベース体と、前記鍵ベース体の前記上部と前記下部との間に設けられた中間部材とから構成される鍵構造体であって、前記中間部材は、その上端部が前記鍵ベース体の前記上部に接すると共に、その下端部が前記鍵ベース体の前記下部近傍まで延設され、且つ前記鍵ベース体と同等以上の剛性を有する前記鍵ベース体とは異なる別材で構成されたことを特徴とする。
【０００８】
この構成によれば、剛性を高くして鍵の変形を抑制することができる。
【０００９】
第２の目的を達成するために本発明の請求項２の鍵構造体は、上部と下部と前記上部に連結された連結部とから成る樹脂製の鍵ベース体と、前記鍵ベース体の前記上部と前記下部との間の演奏時に外観となって視認される部分に設けられた中間部材とから構成される鍵構造体であって、前記中間部材は、その上端部が前記鍵ベース体の前記上部に接すると共に、その下端部が前記鍵ベース体の前記下部近傍まで延設され、且つ木質系材にて構成されたことを特徴とする。
【００１０】
この構成によれば、低コストで鍵に木質感を付与することができる。なお、前記鍵構造体は、白鍵のみに適用してもよい。
【００１１】
また、請求項３の鍵構造体は、請求項２記載の構成において、白鍵用として構成され、前記中間部材は、側面のうち黒鍵が隣接しない部分においてのみ設けられたことを特徴とする。
【００１２】
この構成によれば、中間部材を必要最小限の範囲に配して、木質感を維持しつつ一層のコスト削減を図ることができる。
【００１３】
なお、上記各請求項において、前記中間部材は、木材にて構成するのが望ましい。これにより、木質感を高めることができる。
【００１４】
【発明の実施の形態】
以下、本発明の実施の形態を図面を参照して説明する。
【００１５】
図１は、本発明の一実施の形態に係る鍵構造体及び別例の構成を示す図である。同図（ａ）は側面図、同図（ｂ）は同図（ａ）のＡ−Ａ線に沿う断面図、同図（ｃ）、（ｄ）は別例に係る、同図（ｂ）に示すＦ１部に対応する拡大図である。鍵構造体１は、例えば鍵盤装置の白鍵に適用されるが、黒鍵にも適用してもよい。なお、以降、鍵構造体１の奏者側を前方と呼称する。
【００１６】
鍵構造体１は、合成樹脂製の鍵ベース体１０と木質部２０（２０Ｌ、２０Ｒ）とから構成される。鍵ベース体１０は、同図（ａ）、（ｂ）に示すように、上部である上板部１０ａと、下部である下板部１０ｃと、これらを連結する連結部１０ｂ（中間部材）と、前板部１０ｄとから構成され、一体に形成されている。また、下板部１０ｃからは、鍵操作時に鍵並び方向（鍵構造体１の左右方向）への揺動を抑制するための被キーガイド部４、及び鍵アクチュエータ５が一体に突設形成されている。鍵アクチュエータ５は、不図示の鍵スイッチを、直接または不図示の質量体駆動部を介して間接的に駆動する。鍵ベース体１０の後部には回動支点部３が設けられ、鍵構造体１は、鍵操作時にはこの回動支点部３を回動中心として上下方向に回動する。
【００１７】
鍵構造体１の断面形状は、同図（ｂ）に示すように、「Ｈ」を横倒させた形になっている。そして、連結部１０ｂの両側の凹部１０ｂＬ、１０ｂＲに木質部２０Ｌ、２０Ｒが配設される。木質部２０Ｌ、２０Ｒは、凹部１０ｂＬ、１０ｂＲに嵌合され、鍵ベース体１０の上板部１０ａ、連結部１０ｂ及び下板部１０ｃに接着固定されている。木質部２０は、鍵ベース体１０を構成する樹脂と同等以上の剛性を有する木材で形成されている。しかも、木質部２０Ｌ、２０Ｒの各上端部２０Ｌａ、２０Ｒａは鍵ベース体１０の上板部１０ａに接すると共に、各下端部２０Ｌｂ、２０Ｒｂは下板部１０ｃに接している。これらにより、鍵構造体１全体の上下方向における剛性が高まっている。
【００１８】
木質部２０は、鍵構造体１の剛性を高めるだけでなく、鍵構造体１に木質感を付与する役割を果たす。すなわち、木質部２０の配設範囲においては、木質部２０が鍵構造体１の側面１ａ、１ｂの領域の多くを占める。また、下板部１０ｃは隣の鍵の存在によって通常見えないから、奏者にとっては、鍵構造体１が上面や前面を除いて木材で構成されているかのように見える。これにより、鍵構造体１に木質感が付与され、高級感が与えられる。木質感を付与する観点からは、木質部２０を広範囲に配設してもよいが、コスト削減の観点から、本実施の形態では、木質部２０を、極力、鍵操作時において外観となって視認される部分（いわゆる見え懸かり部）だけに設けるようにしている。
【００１９】
図２は、鍵構造体１を適用した鍵盤の部分平面図である。図１に示す鍵構造体１は、例えば、白鍵のうちＢ鍵に適用されたものを例示しており、木質部２０Ｒは鍵構造体１の長手方向における範囲ＡＲ２に配設される。一方、木質部２０Ｌは、図２に示すように、鍵構造体１の長手方向における範囲ＡＲ１に配設される。すなわち、Ｂ鍵用の鍵構造体１の奏者からみた左側面には黒鍵２が配置されるが、鍵構造体１の黒鍵２に隣接する部分には木質部２０Ｌは配設されない。
【００２０】
図示はしないが、他の音高用の鍵構造体１についても同様に、木質部２０は、白鍵用の鍵構造体１の両側面のうち、黒鍵が隣接しない部分においてのみ設けられる。これにより、低コストで木質感が付与される。なお、木質部２０は全白鍵用鍵構造体１の両側面の前部から後部に亘って広く配設してもよいし、木質部２０の配設を黒鍵にも同様に適用してもよい。
【００２１】
なお、図１（ｃ）の別例では、鍵ベース体１０の上板部１０ａの端部１０ａｂが、木質部２０Ｌよりも僅かに鍵構造体１の側方に突出している（やや誇張して描かれている）。側方に突出することで、鍵盤の非押鍵状態で鍵構造体１を上方からみたとき、鍵構造体１の側面１ａ（特に木質部２０Ｌ）が上板部１０ａに隠れて見えないようになっている。これにより、鍵側面の仕上げ工程を排し、生産コストを削減できる。さらに、図１（ｄ）の別例では、端部１０ａａはＲ形状であり、木質部２０Ｌに滑らかにつながっている。これにより、エッジ部分がないので、演奏時に指が鍵構造体１の側面１ａに触れる際の安全性を向上させている。なお、上板部１０ａの反対側の端部についても端部１０ａａ、１０ａｂと同様に処理することで、コスト削減できる。
【００２２】
本実施の形態によれば、上板部１０ａと下板部１０ｃとを連結部１０ｂで連結して鍵ベース体１０を構成し、その凹部１０ｂＬ、１０ｂＲに、鍵ベース体１０と同等以上の剛性を有する木質部２０Ｌ、２０Ｒを埋め込むようにして設けたので、鍵ベース体１０だけで鍵構造体１を構成した場合に比し、剛性が高まって、鍵構造体１の変形を抑制することができる。
【００２３】
また、木質部２０Ｌ、２０Ｒは木材で成り、演奏時に外観となって視認される部分である側面１ａ、１ｂに設けられたので、押鍵時には、押鍵鍵に隣接する鍵構造体１の側面の木質部２０が視認され木質感が感じられる。しかも、従来の、木の母材表面に樹脂等を貼着した鍵構造体に比し、加工が容易で、均質な鍵構造体を安価に製造することが可能である。よって、低コストで鍵に木質感を付与することができる。
【００２４】
また、木質部２０は白鍵用の鍵構造体１にのみ設けることで、コストが削減され、しかも側面のうち黒鍵が隣接しない部分においてのみ設けられたので、木質部２０を必要最小限の範囲に配して、木質感を維持しつつ一層のコスト削減を図ることができる。
【００２５】
なお、上記鍵ベース体１０の構成は、図１で例示した構成に限定されない。すなわち、鍵の上部及び下部に相当する部分を連結して一体に結合して成る鍵ベース体であればよく、例えば、図３に変形例を示すように、一体形成されていなくてもよいし、また、結合部も複数設けるようにしてもよい。
【００２６】
図３は、鍵構造体の他の構成例に係る図１（ｂ）に対応する断面図である。例えば、図３（ａ）に示すように、上板部３１から下方に向けて突条部３１ａを設ける一方、連結部３２ａと下板部３２ｂとを一体に形成し、連結部３２ａの上部には突条部３１ａに嵌合的な溝状凹部３２ａａを設ける。そして、上板部３１の突条部３１ａを連結部３２ａの凹部３２ａａに接着嵌合させることで、一体に結合した鍵ベース体が構成される。この場合、木質部２０Ｌ、２０Ｒの配設状態は図１の例と同様である。
【００２７】
また、図３（ｂ）に示すように、２本の連結部３３ｂ、３３ｃで、上板部３３ａと下板部３３ｄ、３３ｅを連結するように一体に形成してもよい。この場合は、両連結部３３ｂ、３３ｃ間に凹部３５が形成される。そして、木質部２０Ｌ、２０Ｒより薄い木質部３４Ｌ、３４Ｒが連結部３３ｂ、３３ｃの外側に配設される。
【００２８】
なお、図３（ｃ）、（ｄ）に示すように、木質部の下端面は、鍵ベース体の下端部とは必ずしも接している必要はなく、解放されていてもよい。
【００２９】
なお、木質感付与の観点からは、木質部は木材でなくても、木質系材であればよく、例えば、木目調の化粧板（印刷、コート、塗装、つき板等も含む）、合板、木質材（ＭＤＦ）等を採用してもよい。特に、図３（ｂ）の例の場合は、木質部の厚さが薄いので、化粧板や合板等の板材を用いてもよい。
【００３０】
なお、木質感の課題から離れ、鍵構造体１の剛性を高めるという観点からは、木質部は、鍵ベース体と同等以上の剛性を有し、鍵ベース体とは異なる別材であればよく、必ずしも木質系材でなく、金属等に代えてもよい。特に、修正材を用いた場合は、反りを生じることなく剛性を高めることが可能である。
【００３１】
【発明の効果】
以上説明したように、本発明の請求項１によれば、剛性を高くして鍵の変形を抑制することができる。
【００３２】
本発明の請求項２によれば、低コストで鍵に木質感を付与することができる。
【００３３】
また、請求項３によれば、中間部材を必要最小限の範囲に配して、木質感を維持しつつ一層のコスト削減を図ることができる。
【図面の簡単な説明】
【図１】  本発明の一実施の形態に係る鍵構造体及び別例の構成を示す図である。
【図２】  鍵構造体を適用した鍵盤の部分平面図である。
【図３】  鍵構造体の他の構成例に係る図１（ｂ）に対応する断面図である。
【符号の説明】
１  鍵構造体、  １０  鍵ベース体、  １０ａ  上板部（上部）、  １０ｂ  連結部（中間部材）、  １０ｃ  下板部（下部）、  ２０Ｌ、２０Ｒ  木質部、２０Ｌａ、２０Ｒａ  上端部、  ２０Ｌｂ、２０Ｒｂ  下端部
【図１】
0003818181.tif 000002
【図２】
0003818181.tif 000003
【図３】
0003818181.tif 000004